(57)【特許請求の範囲】
【請求項１】
燃料ポンプハウジングと該燃料ポンプハウジング内に支持されたポンプモジュールとを有する燃料ポンプアセンブリであって、
前記ポンプモジュールは、前記燃料ポンプハウジングに支持されたポンプモジュールハウジングと、該ポンプモジュールハウジング内に形成されたインペラ用空洞内に回転可能に支持されたインペラと、該インペラ用空洞の円形の周縁付近に、前記ポンプモジュールハウジングに形成された略準円環のポンプチャネルと、を具備し、
前記インペラは電気モータにより回転駆動され、かつ該インペラは、該インペラの外側環状縁の周縁に、軸方向に離間した複数のインペラ上羽根とインペラ下羽根とを有し、
前記インペラ上羽根及び前記インペラ下羽根は、該インペラが該インペラ用空洞内で回転する時に、該ポンプチャネルを通って流体を移動するように形成され配置されていて、
前記ポンプチャネルの一端には前記ポンプチャネルと連通する入口流路が設けられ、かつ前記ポンプチャネルの他端には前記ポンプチャネルと連通する出口通路が設けられ、
前記ポンプモジュールハウジングは、前記ポンプチャネルの径方向外側に側壁を有し、
該ポンプチャネルの該出口流路は、該ポンプモジュールハウジングの側壁を通る前記ポンプチャネルに対する接線方向に沿うように外側に延びかつ前記ポンプチャネルの径方向外側に延びており、
前記入口流路の下流側には前記ポンプチャネルに形成されたリブが設けられ、該リブは、前記インペラ側に径方向内向きかつ該ポンプチャネル内で周方向に前記出口通路までのび、これにより、前記ポンプチャネルの軸方向上側部分内の燃料を前記ポンプチャネルの軸方向下側部分内の燃料から分離するよう構成され、
前記出口流路は、該ポンプチャネルからの接線方向の燃料の流れの方向を急激に変更しないよう前記ポンプチャネルと一直線に配されており、これにより燃料が妨害されないで該ポンプチャネルの前記上側部分及び前記下側部分から前記出口流路に沿って平行流の状態を維持しながら出るように構成され、
前記ポンプモジュールは、前記ポンプモジュールハウジングの側壁に沿って形成された、前記出口流路の下流側の端部と連通する弓型の溝をさらに有し、
前記溝は、前記ポンプチャネルに対して完全に径方向外側に設けられかつ前記側壁の一部によって前記ポンプチャネルから分離され、
前記出口流路は、前記ポンプチャネルの径方向外側に向かって前記溝に開口し、
前記溝は、前記溝から下流側に周方向にのびるよう滑らかな輪郭に形成されかつ軸方向上方に傾斜して上向きに開口したランプを有し、
前記ランプは、前記ポンプチャネルの径方向外側に設けられかつ前記側壁の一部によって前記溝の下流側において前記ポンプチャネルから分離され、これにより、前記溝から出る燃料を下流側に円滑に流して前記ランプを昇らせ前記ランプの上側排出孔から送出するよう構成されている
ことを特徴とする上記燃料ポンプアセンブリ。
【請求項２】
前記ポンプチャネルの横断面積が前記溝に向かって次第に増加するように構成した請求項１記載の燃料ポンプアセンブリ。
【請求項３】
前記インペラ下羽根により前記出口流路の下側部で加速された下側燃料流が前記出口流路を介して前記溝内に流れる時に、該下側燃料流が前記インペラ上羽根により前記出口流路の上側部で加速された上側燃料流に平行に且つ該上側燃料流の下側に維持されるよう、前記ポンプチャネルの前記出口流路と前記溝とが構成されている
ことを特徴とする請求項１記載の燃料ポンプアセンブリ。
【請求項４】
前記溝が、前記ポンプチャネルの出口端近くで、前記ポンプモジュールハウジングの環状側壁の一部に沿って、前記ポンプモジュールハウジング内に形成され、
前記出口流路と前記溝とが、上下燃料流が前記出口流路の上下側部から各々前記溝内に直接流れるように構成された
ことを特徴とする請求項１記載の燃料ポンプアセンブリ。
【請求項５】
前記燃料ポンプハウジングは、前記ポンプモジュールの側壁を囲むとともに前記溝の径方向内側壁に相対する前記溝の径方向外側壁を形成していることを特徴とする請求項１記載の燃料ポンプアセンブリ。
【請求項６】
前記排出ポート溝は、端壁とランプとを有し、該ランプは該端壁の下流方向に、前記ポンプモジュールハウジングの頂面に向かって、前記排出ポート溝の底から傾斜していることを特徴とする請求項１記載の燃料ポンプアセンブリ。
【請求項７】
前記ポンプチャネルの前記出口端及び前記出口流路が、前記上下燃料流が互いに交差せずに前記溝に沿って流れるよう構成され、
前記溝が、前記上下燃料流を前記ランプに沿って上昇させ円滑に案内するように構成されている
ことを特徴とする請求項６記載の燃料ポンプアセンブリ。
【請求項８】
前記ポンプモジュールハウジングは、前記ポンプモジュールハウジングの上壁を形成する頂部カバーと、前記ポンプモジュールハウジングの下壁を形成する基部と、該頂部カバーと該基部との間に配置されたガイドリングとを具備し、
該頂部カバーは前記インペラ用空洞の天井を形成し、該基部は前記インペラ用空洞の底を形成し、該ガイドリングは、前記インペラ用空洞の環状外側壁を形成する
ことを特徴とする請求項１記載の燃料ポンプアセンブリ。
【請求項９】
前記出口流路が、前記ガイドリングの接線方向に沿って外側に延び、かつ前記ガイドリングにより少なくとも部分的に形成されていることを特徴とする請求項８記載の燃料ポンプアセンブリ。
【請求項１０】
前記溝の少なくとも一部が、前記ガイドリングにより形成されたことを特徴とする請求項８記載の燃料ポンプアセンブリ。
【請求項１１】
前記ランプの少なくとも一部が、前記ガイドリングにより形成されたことを特徴とする請求項８記載の燃料ポンプアセンブリ。
【請求項１２】
前記ポンプチャネルの出口端が、前記頂部カバーと前記基部と前記ガイドリングにより形成されたことを特徴とする請求項８記載の燃料ポンプアセンブリ。
【請求項１３】
前記出口流路の少なくとも一部が、前記頂部カバーと前記基部と前記ガイドリングにより形成されたことを特徴とする請求項８記載の燃料ポンプアセンブリ。
【請求項１４】
前記ポンプチャネルの、燃料の流れる方向に垂直な横断面積が、前記出口流路が前記溝内に開く所で徐々に増加するよう設けられていることを特徴とする請求項８記載の燃料ポンプアセンブリ。
【請求項１５】
前記出口流路の前記インペラの軸方向の寸法が該インペラの軸方向の厚さよりも大きいことを特徴とする請求項１４記載の燃料ポンプアセンブリ。
【発明の詳細な説明】
【０００１】
【発明の属する技術分野】
この発明は、概して、リザーバから燃料を引き、エンジンに燃料を供給するための燃料ポンプアセンブリに関する。
【０００２】
【従来の技術】
発明の背景
燃料ポンプアセンブリが、そのハウジングに内に共に支持された、電気モータと燃料ポンプモジュールを有することは知られている。そのアセンブリの燃料ポンプモジュールは、一般的には、モジュールハウジングと、その電気モータで駆動され、そのモジュールハウジングの空洞内のインペラと、略円環状のポンプチャネルとを有する。そのポンプチャネルは、そのインペラ用空洞の円形の縁近くに、上側および下側チャネルを有する。インペラは、インペラの外周縁付近に、離間した、軸方向に設けた、複数の上下羽根を有し、インペラがその空洞で回転すると、ポンプチャネルの上側および下側チャネルの各々を通って、液体を移動させる。モジュールハウジングは、入口ポートと出口ポートとを有し、それらのポートの各々は、モジュールハウジングの上側壁又は下側壁の各々を通って、軸方向に延びていて、ポンプチャネルの入口または出口端の各々に通じている。ポンプ効率を改善し、電力消費を減らすために、ポンプチャネルと排出ポートを流体抵抗損出を最小とする形状にする必要がある。
【０００３】
例えば、欧州特許出願ＥＰＯ−７８４１５８ＡＺは、電気モータ式再生タービン燃料ポンプアセンブリを開示していて、そのポンプは、ポンプモジュールの排出ポートを、モジュールハウジングの上側壁にある弓形溝を有する形状としている。図１〜７に図示したように、ポンプモジュール２０は、排出ポート２２を有し、そのポートは、インペラ３１が収容されるポンプチャネル３０の出口端２８に近くで、モジュール２０のモジュールハウジング２６の環状側壁２４の部分に沿って位置する。排出ポート２２は、開口３２を有し、その開口は、ポンプチャネル３０の出口端２８から溝３３に延びている。溝３３は、略鉛直の端壁３４により形成され、その端壁３４から下流方向に、即ち、インペラ回転方向に、溝３３の底３８から傾斜したランプ３６が設けられ、そのランプ３６は、モジュールハウジング２６の上面まで延びている。溝３３はまた、弓形の径方向内側壁４２を有し、その内側壁は、弓形の径方向外側壁４４に平行に相対して立設されている。薄い環状バンド部材４６が、モジュールハウジング２６を囲み、溝３３の外側壁４４を形成する。しかしながら、排出ポート開口３２は、インペラ３１と、ポンプチャネル３０の出口端２８から、径方向外側に配置される。図６、７に明瞭にしめしたように、このために、ポンプチャネル３０の燃料出口を構成する上側・下側部４５、４７を要して、その上側・下側部４５、４７の各上側・下側チャネル出口端壁４８、４９に当たり、それから径方向外側に曲がり、排出ポート開口３２を出るので、流体抵抗損失がある。即ち、ポンプチャネル３０の出口端２８は、チャネル３０から径方向外側に流れの方向を変えて、排出ポート開口３２に流すエルボを構成している。
【０００４】
排出ポート開口３２は、略矩形水平部５４を有する。その水平部は、溝端壁３４と、外側壁４４と、ランプ３６の上流縁５６との三つの側により形成される。排出ポート開口３２の水平部５４の４番目の側は、溝端壁３４と、ランプ３６の上流縁５６とにより形成される径方向内側端の間の空間をに延びる面により形成される。排出ポート開口３２はまた、内側壁４２内に形成された略矩形の鉛直部５８を有する。排出ポート開口３２の鉛直部５８は、燃料をポンプチャネル３０の上側部４５から直接排出ポート溝３３に直接出るように、配置されている。排出ポート開口３２の水平部５４は、溝３３の底３８内に形成され、燃料がポンプチャネル３０の出口端２８の下側部から、上側に鉛直に流れて、溝３３に流入する。しかしながら、排出ポート開口３２の水平部５４を通って鉛直に流れ出る燃料が、排出ポート開口３２の鉛直部５８から横方向に流れでる燃料と衝突してしまう。従って、その開口において、衝突による混合と、それに伴なう乱流の発生と、流体抵抗損失が生じる。
【０００５】
図６に明瞭に図示したように、排出ポート溝３３は、その混合した上下燃料流をランプ３６に沿って上昇させ、ポンプモジュール２０から略鉛直に離れて、電気モータを内蔵した燃料ポンプハウジング６２のチャンバ３６内に排出するように形成されている。その燃料は、電気モータ部を過ぎて、ポンプハウジングの出口から出て、加圧した燃料を運転中エンジンに供給する。デンソー社製ポンプを有する燃料ポンプアセンブリは、インペラを連結して回転する電気モータ（図示せず）を有する。
【０００６】
【発明が解決しようとする課題】
この発明の目的の一つは、タービンポンプにおいて、効率を著しく向上し、既存デザインの燃料ポンプに容易に組み込まれ得て、特に高流速運転状態において、バランスを著しく改善し、インペラに掛かる軸方向力を減らすことである。
【０００７】
【課題を解決するための手段】
発明の概要
この発明は、燃料ポンプハウジング内に支持された燃料ポンプモジュールを有する燃料ポンプアセンブリである。燃料ポンプモジュールは、燃料ポンプモジュールハウジング内に形成された空洞内に回転自在に支持されたインペラと、ハウジング内に、インペラ用空洞の略円周縁の近くに形成された概して準円環のポンプチャネルとを有する。インペラは、インペラの外側環状縁の周りに、離間した軸方向上側・下側インペラ羽根を有する。それらの羽根は、インペラが、インペラ用空洞内で回転すると、ポンプチャネルを通って流体を動かすように形成され配置される。モジュールハウジングは、入口に通じる入口ポートと、ポンプチャネルの出口流路に通じる排出ポートとを有する。
【０００８】
ポンプチャネルの出口流路は、モジュールハウジングの側壁を通って、略接線方向外側に延びている。これにより、排出ポートを、ポンプチャネルの出口流路からの燃料の接線方向流れと心を合わせ、燃料が妨げられずに、溝内に円滑に流れるようにする。それ故、この発明に従って構成された燃料ポンプアセンブリは、燃料をより効率的に送出できる。
【０００９】
好ましくは、ポンプチャネルの出口流路の横断面積は、排出ポートに向かって徐々に増加し、インペラの背圧を減少し、効率を向上させる。ポンプチャネルの出口流路と、排出ポート開口とは、下側燃料流がポンプチャネルの下側部から出て、一方、それと平行に、上側の燃料流は、ポンプチャネルの上側部を出るように形成されている。それらの流れは、排出ポート溝内に流れ、衝突による混合を避けて、流体抵抗を減らす。排出ポート開口と溝は、ポンプチャネルの上側・下側部からの下側・上側燃料流を許容するように形成され、それらの燃料流は、横方向に排出ポート溝に出て、インペラの上側・下側羽根に掛かる不均一の背圧を防止し、不均一のインペラへの負荷を防止し、効率の減少させず、インペラとインペラチャンバとのスピンによる接触・溶着を防止する。好ましくは、燃料ポンプモジュールを囲むポンプハウジングは、排出ポート溝の径方向外側壁を形成し、モジュールハウジングを製作するとき、別に壁を作らなくて済むようにする。溝は、ランプを有して、ポンプモジュールから軸方向上向きに流れる燃料の向きを円滑に変えて、効率を向上して、電力消費量を減らす。
【００１０】
この発明の目的・特徴・便宜性には、タービンポンプについて、効率を著しく向上し、既存デザインの燃料ポンプに容易に組み込まれ、特に高流速運転状態において、バランスを著しく改善し、インペラに掛かる軸方向力を減らす。そのポンプは、比較的簡明なデザインであり、経済的に製作・組立ができ、使用有効寿命が著しく長い。
【００１１】
この発明のこれらの目的・特徴・便宜性は、以下の好適実施例の詳細な説明と、最適様態と、請求項の記載と、添付図とから明らかにされる。
【００１２】
【発明の実施の形態】
図８〜１３において、リザーバから燃料を引いて、エンジン等の要求箇所に送る燃料ポンプアセンブリが、符号１００で図示されている。アセンブリ１００は、燃料ポンプハウジング１０２と、そのポンプハウジング１０２に支持された燃料ポンプモジュール１０４とを有する。燃料ポンプモジュール１０４はモジュールハウジング１０６とインペラ１０８とを有し、そのインペラは、ハウジング１０６に形成されたインペラ用空洞１１０内に回転可能に支持されている。モジュールハウジング１０６は、略準円環のポンプチャネルポンプチャネル１１２を有し、そのチャネルは、インペラ用空洞１１０の略円形周縁近くに、インペラ用空洞１１０の頂部１１８と底部１２０内に各々形成された上側・下側チャネル部１１４、１１６を有する。
【００１３】
上側・下側チャネル部１１４、１１６は、リブ１２１により、それらの長さの約１２０°の高圧部に沿って分離されている。そのリブは、ポンプチャネル１１２の外側環状壁から、インペラ側に径方向内向きに延びている。
【００１４】
インペラ１０８は、その外側環状縁の近くに、軸方向に離間した複数の上側・下側羽根１２２、１２４を有する。インペラ１０８は、インペラ１０８が空洞１１０内で回転すると、上側・下側チャネル部１１４、１１６の各々を通って、流体を移動させるように形成・配置されている。モジュールハウジング１０６は、入口・排出ポート１２６、１２８を有する。それらのポートは、モジュールハウジング１０６の下側・上側壁１３０、１３２の各々を略軸方向に貫通して延び、ポンプチャネル１１２の入口流路１３４と出口流路１３６の各々に通じている。
【００１５】
排出ポート１２８は、弓型溝１３８を有する。その溝１３８は、ポンプチャネル１１２の出口流路１３６の近くで、モジュールハウジング１０６の環状側壁１４０の一部に沿って、モジュールハウジング１０６の上側壁１３２に形成されている。排出ポート１２８は、ポンプチャネル１１２の出口端１３６から溝１３８に開いた開口１４２を有する。図８に明瞭に示したように、排出ポート溝１３８は、ポンプモジュール１０４からでる燃料を上向きに方向を変え、燃料ポンプハウジング１０２のチャンバ１４４内に流すように、形成・配置されている。燃料ポンプハウジング１０２は、電気モータを内蔵し、燃料ポンプアセンブリの出口１４５に通じている。図８に最良に図示したように、アセンブリ１００は、電気モータ１４６を有する。そのモータは、ポンプハウジング１０２内に支持され、駆動軸１４８によりインペラ１０８に駆動可能に連結されている。電気を送ると、電気モータは、インペラ１０８を空洞１１０内で回転させる。
【００１６】
図１２に最良に図示したように、ポンプチャネル１１２の出口流路１３６は、ポンプハウジング１０６の側壁１４０を通る接線方向外側に延び、溝１３８の上流端に通じている。排出ポート開口１４２は、ポンプチャネル１１２の出口流路１３６からの接線方向燃料と心が合っていて、ポンプチャネル１１２をでる燃料を、妨害されないで、溝１３８内へ円滑に流す。インペラ羽根１２２、１２４に掛かる背圧を減らすために、出口流路１３６が溝１３８内に開く所で、ポンプチャネル１１２の出口流路１３６の、流れ方向に垂直の横断面積が、徐々に増加する。
【００１７】
図８〜１３に図示したように、ポンプチャネル１１２の出口流路１３６は、流体の流れ方向にみて、略矩形横断面を有し、角は丸くなっている。図１２に最良に図示したように、排出開口１４２は、ポンプチャネル１１２が溝１３８に合流する所で、ポンプチャネル１１２の出口端１３６により形成されていて、また略矩形であり、ポンプチャネル１１２を出る燃料流に対して、略垂直に配置されている。図９、１０、１１、１３に最良に図示したように、ポンプチャネル１１２の出口流路１３６と、排出ポート１２８とは、下側燃料流がポンプチャネル１１２の下側部から出て、一方、それと平行に、上側の燃料流は、ポンプチャネル１１２の上側部を出て、排出ポート溝１３８内に流れるように形成され、配置されている。より詳しくは、ポンプチャネル１１２の出口流路１３６と排出ポート開口１４２とは、インペラ羽根１２２、１２４の所で、インペラ１０８の軸方向厚さを越える鉛直（軸方向）寸法を有する。ポンプチャネル１１２の出口流路１３６と、排出ポート１２８とはまた、インペラ１０８と軸方向に心が合っていて、上側・下側インペラ羽根１２２、１２４が両方とも露出していて、上側・下側燃料流が横方向に（インペラ軸に垂直な面にある路に沿って）出て、上側・下側インペラ羽根１２２、１２４から排出ポート溝１３８内に流れる。
【００１８】
ポンプチャネル１１２の出口流路１３６と排出ポート１２８とは、上側・下側燃料流を物理的に互いに分離するような形状ではなく、また、そのように配置されていない。そうではなく、ポンプチャネル１１２の出口端１３６は、円滑な連続した、略水平の輪郭を有する。これらの輪郭は、上側・下側燃料流が、排出ポート溝１３８内に流れる時に、連続して排出ポート１２８を通って、互いに交差させずに、概して平行に動くようにする。言い換えれば、ポンプチャネル１１２の出口流路１３６の輪郭は、排出ポート開口１４２で、排出ポート溝１３８の輪郭に円滑につながっている。これにより、上側・下側燃料流を強制的に混ぜることがなく、さらに、排出ポート１２８に生じる流体抵抗損失を減らす。
【００１９】
図８、１１、１２に図示したように、ポンプハウジング１０２は燃料ポンプモジュール１０４を囲み、排出ポート溝１３８の弓形の径方向外側壁１５０を形成し、その壁１５０は、溝１３８の弓形の径方向内側壁１５１に相対するように配置される。溝１３８は更に、ランプ１５４から上流に配置した、略鉛直の端壁１５２（図１０、１１）を有する。そのランプは、溝１３８の底から上向きに、下流方向に、即ち、インペラ１０８の回転方向に、モジュールハウジング１０６の頂面まで傾斜している。
【００２０】
ポンプチャネル１１２の出口流路１３６と排出ポート開口１４２とは、上側・下側燃料流を排出ポート溝１３８に心合わせする。排出ポート溝１３８は、ポンプチャンネル１１２の接線方向路から略環状路に、上側・下側燃料流を円滑に広げる。溝１３８の輪郭は、上側・下側燃料流の略環状の流れを円滑に案内して、ランプ１５４を昇らせ、排出ポート溝１３８の狭い弓形の上側排出孔１５８から送出する。
【００２１】
図８、１０、１１に図示したように、電気モータ１４６のフラックス管１６２の下縁１６０は、ポンプハウジング１０２内に同心に配置され、溝１３８を被うハウジングの上壁１３２の外側環状縁部と当接する。それ故、フラックス管１６２の下縁１６０は、溝１３８を被う、軸方向に配置されたリリーフ部１６４を有して、溝１３８を出る燃料を妨害しないようにする。図１０に最良に図示したように、フラックス管１６２のリリーフ部１６４は、略台形で、リリーフ部１６４の壁１６６は、角度が排出ポート溝１３８のランプ１５４と心が合って、連続している。
【００２２】
図１２に最良に示したように、溝１３８の内側壁１５１が弓形に楔型の細長い隔壁１６８上に形成されている。その隔壁１６８は、ポンプチャネル１１２の出口路１３６から直接下流において、上側・下側高圧ポンプチャネル部１１４、１１６からの流れを、ポンプチャネル１１２の低圧域１２６内に流れないように形成されている。隔壁１６８は、大量の高圧燃料が、ポンプチャネル１１２の出口路１３６で、インペラ１０８を過ぎて、ポンプチャネル１１２の低圧吸入端に逃げるのを防止して、ポンプ効率を改善する。
【００２３】
ポンプモジュールハウジング１０６は、そのハウジング１０６の上壁１３２を形成する頂部カバー１７０と、そのハウジング１０６の下壁１３０を形成する基部１７２と、頂部カバー１７０と基部１７２との間に設けられたガイドリング１７４とを有する。頂部カバー１７０は、インペラ用空洞１１０の天井１１８を構成し、基部１７２は、インペラ用空洞１１０の底１２０を構成し、ガイドリング１７４は、インペラ用空洞１１０の環状外側壁１７６を構成する。
【００２４】
ポンプチャネル１１２の出口流路１３６は、接線方向外側に延び、ガイドリング１７４により部分的に形成される。ポンプチャネル１１２の出口路１３６はまた、頂部カバー１７０と基部１７２とガイドリング１７４内に形成される。排出ポート溝１３８の一部と、排出ポート開口１４２の一部とは、ガイドリング１７４により形成されている。
【００２５】
運転状態では、電気モータは通電されモジュールハウジング内でインペラを回転し、流体を低圧域１２６を通って軸方向上向きに引き、ポンプチャネル１１２の低圧域１１３内に流す。ポンプチャネル１１２に沿って、約９０°曲がった後、上側チャネル部１１４内の流体は、リブ１２１により下側チャネル部１１６内にある流体から分離される。流体圧は、インペラ上下羽根１２２、１２４各々により加速される流体を分けるリブ１２１の全長に渡って、ポンプチャネル内の次の角度１２０°の移動の間に著しく増加する。リブ１２１に沿った高圧領域から流体は、ポンプチャネル１１２の出口流路１３６を通過する。リブ１２１はここで終わり、上側チャネル部１１４、下側チャネル部１１６から流れ出る流体は、ここで強制的に混ぜられるのではなく、出口流路１３６と排出ポート溝１３８に沿って、平行流の状態を維持する。流体は、出口流路１３６から排出ポート溝１３８内に流れるので、排出ポート溝１３８の外側壁１５０は、流体を接線方向の流れから環状方向の流れに方向を円滑に変える。それから、流体は、ランプ１５４に沿って円滑に上向きに方向づけられ、排出ポート溝１３８の狭い弓形上側排出孔１５８を通ってモジュールハウジング１０６の頂面を通過する。燃料が排出ポート溝１３８を出るとき、燃料は、リリーフ部１６４の隆起壁１６６に沿って、フラックス管１６２のリリーフ部１６４を通って、略環状の上向き螺旋流状態を続ける。その流れは、リリーフ部１６４を出て、電気モータ１４６を有する燃料ポンプハウジング１０２のチャンバ１４４を通って流れ、その後、フラックス管１６２とロータの間を通り、電気モータを過ぎて流れ、ポンプ出口１４５を通って、燃料ポンプアセンブリを出る。
【００２６】
これらの記載は、この発明を限定するのではなく、この発明のある実施例を説明するものである。それ故、限定的な術語より説明的な言葉を使用している。
【００２７】
これらの説明が伝えるものからこの発明を変形させることは可能であることは明らかである。請求項の範囲内で、この発明を記載したもの以外にも適用でき得る。
【００２８】
【発明の効果】
この発明は、タービンポンプについて、効率を著しく向上し、既存デザインの燃料ポンプに容易に組み込まれ、特に高流速運転状態において、バランスを著しく改善し、インペラに掛かる軸方向力を減らす。
【図面の簡単な説明】
【図１】先行技術の電気モータ式再生タービン燃料ポンプのための燃料ポンプモジュールの斜視図である。
【図２】図１の先行技術の燃料ポンプモジュールにおける上側キャップ部の底面図である。
【図３】図１の先行技術の燃料ポンプモジュールにおける上側キャップとインペラの底面図である。
【図４】図２の上側キャップとインペラの上面図である。
【図５】図１の先行技術の燃料ポンプモジュールにおける基部の上面図である。
【図６】図１の先行技術の燃料ポンプモジュールにおける周縁域の拡大横断面図であり、図１の線６−６に沿っており、矢印は燃料流路を示している。
【図７】図１の先行技術の燃料ポンプモジュールの斜視図であり、矢印は燃料流路を示している。
【図８】この発明を具現した燃料ポンプアセンブリの正面横断面図である。
【図９】図８の燃料ポンプアセンブリの燃料ポンプモジュールの斜視図である。
【図１０】図８の燃料ポンプアセンブリにおけるフラックス管の斜視図であり、その管は図９の燃料ポンプモジュールに支持されている。
【図１１】図８の燃料ポンプモジュールの周縁域についての、図８の円１０内部分の拡大部分横断面図である。
【図１２】図８の燃料ポンプモジュールにおける頂部とインペラとガイドリングとの底面図である。
【図１３】図８のこの発明による燃料ポンプモジュールの一部破断正面斜視図であり、矢印は燃料流路を示している。
【符号の説明】
１００  燃料ポンプアセンブリ
１０２  ポンプハウジング
１０４  ポンプモジュール
１０６  モジュールハウジング
１０８  インペラ
１１０  インペラ用空洞
１１２  ポンプチャネル
１１３  低圧域
１１４  上側チャネル部
１１６  下側チャネル部
１２０  底部
１２１  リブ
１２２  上側羽根
１２４  下側羽根
１２６  入口ポート
１２８  排出ポート
１３０  下側壁
１３２  上側壁
１３４  入口流路
１３６  出口流路
１３８  排出ポート溝
１４０  環状側壁
１４６  電気モータ
１５２  端壁
１５４  ランプ
１５８  排出孔
１７０  頂部カバー
１７２  基部
１７４  ガイドリング
１７６  環状外側壁
【図１】
0004918192.tif 000002
【図２】
0004918192.tif 000003
【図３】
0004918192.tif 000004
【図４】
0004918192.tif 000005
【図５】
0004918192.tif 000006
【図６】
0004918192.tif 000007
【図７】
0004918192.tif 000008
【図８】
0004918192.tif 000009
【図９】
0004918192.tif 000010
【図１０】
0004918192.tif 000011
【図１１】
0004918192.tif 000012
【図１２】
0004918192.tif 000013
【図１３】
0004918192.tif 000014